(57)【特許請求の範囲】
【請求項１】
第１の結合板１１が設けられ、第１の結合板１１の両側に第１の仕上段１２が形成され、第１の仕上段１２には、それぞれ第１の連結リンク１４の一端が固定された第１の支持部１０と、第１の支持部１０の第１の結合板１１に定着され、まつげまたは人造まつげが定着され、上部面に複数の第１の定着溝２１が形成された第１の定着パッド２０と、第２の結合板３１が設けられ、第２の結合板３１の両側に第２の仕上段３２が形成され、第２の仕上段３２には、それぞれ第２の連結リンク３４の一端が固定された第２の支持部３０と、第２の支持部３０の第２の結合板３１に定着され、まつげまたは人造まつげが定着され、上部面に複数の第２の定着溝４１が形成された第２の定着パッド４０と、第１の支持部１０の第１の連結リンク１４の端部と第２の支持部３０の第２の連結リンク３４の端部に結合され、第１の支持部１０及び第２の支持部３０の回動中心をなすヒンジ軸５０と、第１の支持部１０の一側の第１の仕上段１２及び第１の定着パッド２０に着脱され、第２の支持部３０の一側の第２の仕上段３２及び第２の定着パッド４０に着脱され、第１の定着パッド２０及び第２の定着パッド４０を第１の支持部１０及び第２の支持部３０に着脱させるパッド着脱部６０と、第１の支持部１０の他側の第１の仕上段１２に形成された第１のフック７０と、第２の支持部３０の他側の第２の仕上段３２に形成された第２のフック８０と、第１のフック７０または第２のフック８０に着脱される着脱輪９０と、一側が着脱輪９０に連結される連結紐１００と、連結紐１００の他側に連結される重りボディ１１１と、重りボディ１１１に結合される飾り部１１２とからなる重り１１０と、を備え、
第１の定着パッド２０及び第２の定着パッド４０の上部面には、機能性オイルが混合された芳香剤物質がコーティングされるが、混合比率は、芳香剤９０〜９３重量％に、機能性オイル７〜１０重量％が混合され、機能性オイルは、ティーツリー８０重量％、フェンネル２０重量％からなる、ことを特徴とするスピードまつげ延長器。
【請求項２】
パッド着脱部６０は、第１の仕上段１２及び第１の定着パッド２０の第１の螺子孔２２と、第２の仕上段３２及び第２の定着パッド４０の第２の螺子孔４２に締め付けられ、第１の定着パッド２０及び第２の定着パッド４０を、第１の支持部１０及び第２の支持部３０に固定させる第１の固定螺子６１及び第２の固定螺子６２からなることを特徴とする請求項１に記載のスピードまつげ延長器。
【請求項３】
第１の支持部１０の第１の結合板１１及び第２の支持部３０の第２の結合板３１には、第１の定着パッド２０及び第２の定着パッド４０が、第１の支持部及１０び第２の支持部３０の外側から第１の支持部１０及び第２の支持部３０側に進入するとき、第１の定着パッド２０及び第２の定着パッド４０の対応端部が挟持されるように、コ字状の第１の停止段１５及び第２の停止段３５が形成され、第１の支持部１０の第１の仕上段１２及び第２の支持部３０の第２の仕上段３２には、第１の定着パッド２０及び第２の定着パッド４０の進入側の先端が、第１の停止段１５及び第２の停止段３５に挿入されて支持されるとき、第１の定着パッド２０及び第２の定着パッド４０の後端の両側が係止されるように、第１の締付けフック１６及び第２の締付けフック３６が形成されていることを特徴とする請求項１に記載のスピードまつげ延長器。
【発明の詳細な説明】
【技術分野】
【０００１】
本発明は、スピードまつげ延長器に関し、より詳しくは、第１の定着パッド及び第２の定着パッドが、第１の支持部及び第２の支持部に堅固に結合され、一つのスピードまつげ延長器で左まつげと右まつげを延長することができ、第１の定着パッド及び第２の定着パッドと第１の支持部及び第２の支持部との組立性が大いに向上するだけでなく、第１の定着パッド及び第２の定着パッドの上部面の清潔を維持することができるスピードまつげ延長器に関する。
【背景技術】
【０００２】
一般に、人造まつげは、まつげを長く見せるのに用いられる美容道具の一種であり、テープと接着剤等を用いて、人為的にまつげの周囲に付着して用いられている。
【０００３】
従来のまつげ接着方式は、通常、目の形に合わせて人造毛が形成された人造まつげを、接着剤やテープで目の周囲に付着した状態で、はさみのような道具で、残った部分を切り出して使われてきた。
【０００４】
このような人造まつげは、まつげの全体の構造や接着剤がまつげに設けられる構造であるため、利用者の目つきが自然に表現されず、または、まつげが使用者の目頭にうまく付かず、落ちてしまうという問題点があり、接着剤がまぶたの中に入る危険があった。
【０００５】
継ぎ目にテープ形態の接着剤が設けられた人造まつげを用いる場合は、使用者の目頭に沿って接着剤が全体的に付着され、このとき、継ぎ目に作用する接着剤の張力により、まつげの全体的な状態が不自然になるという問題点があった。
【０００６】
また、糸に接着剤を塗布した糸接着剤を人造まつげに付着して用いる場合は、この糸接着剤が、まつげの継ぎ目から落ちてしまい、使用者がまつげを長時間利用できずに捨てるという問題点があった。
【０００７】
このような問題点を解決するために、特許文献１によるまつげが開発されたことがある。
【０００８】
このような従来のまつげは、湾曲した状態で配列される多数個の毛髪及び毛髪の一側端部が、結び目部位無しに、集められて形成され、接着剤が塗られる付着部を含めて、目頭部位に複数個付着されて設けられる。
【０００９】
このように構成された従来技術は、複数個に分かれて形成されたまつげを自分の所望する形に沿って、目頭部位に接着剤を充分に塗布した状態で、ピンセットのような道具で接着するように構成する。
【００１０】
ところが、従来技術により、目頭部位にまつげを付着するためには、人の手で、複数個に分かれて形成されたまつげを、一つずつ接着剤を塗布しながら顔の形に沿って、正確な位置に付着しなければならないので、時間が多くかかり、難しい手作業により、高度の熟練度が必要であり、これにより人件費が上昇するという問題点があった。
【００１１】
このような問題点を解決するために、本出願人は、特許文献２を開発したことがある。
【００１２】
このような従来のスピードまつげ延長器は、まつげの形に形成された接着胴体の上部に、自分のまつげと延長人造毛及び人毛が挿入されて接着されるように微細な溝である複数個の接着溝を形成した接着具と、接着具の接着溝に自分のまつげと延長人造毛及び人毛が設けられた状態で、挿入されて圧着するように圧着胴体の下部の微細な接着溝に挿入される突起状の複数個の圧着突起を形成し、接着溝を圧着する圧着具と、接着具に形成された自分のまつげと延長人造毛及び人毛に塗布され、圧着具の圧着により接着される接着性を有するように形成した接着剤と、を備える。
【００１３】
ところが、このような従来のスピードまつげ延長器は、人により、まつげの自生した間隔が異なり、まつげをそれぞれ接着具の接着溝に挿入し難いだけでなく、挿入する過程においてまつげがうまく挿入されず、接着溝を離脱してしまい、作業が難しいという問題点があった。
【００１４】
また、接着具と圧着具を支持する手段がなく、延長作業を行う施行者が、手を用いて固定しなければならないので、延長作業を行う間、接着具の最初の位置が変動し、これにより、接着位置の変化により、施行者が延長作業を簡単に行うことができないという問題点があった。
【００１５】
上述した従来の問題点を解決するために、本出願人は、特許文献３を開発したことがある。
【００１６】
このような従来のまつげ延長器は、まつげの形に屈曲して形成され、上部面に形成された複数個の分離溝に延長人造まつげ及び自分のまつげが定着する定着具が設けられ、定着具が形成された反対側には、コーティング具が形成され、定着具及びコーティング具をヒンジで結合して支持する支持具からなり、左または右の目にそれぞれ適用されるようになる延長器が設けられる。
【００１７】
このような従来のまつげ延長器は、分離具を用いて、まつげを定着具の定着面に別々に分離するとき、まつげが互いに集まりまたは固まることを防ぎながら分離させる機能を行うとともに、定着面にまつげを載せ、まつげ延長作業を行うとき、まつげの取り扱いが簡単であり、作業が簡便であり、時間が短縮するように改善した。
【００１８】
ところが、このような従来のスピードまつげ延長器は、右まつげまたは左まつげ専用でのみ用いられ、両まつげへの互換性がなく、まつげの延長にも用いられなかった。これにより、両まつげに対して同時に用いるには、１対のまつげ延長器が必要であり、結局のところ、購入単価を増加させる要因となった。
【００１９】
また、従来のスピードまつげ延長器では、支持具に定着具を固定させるために接着剤を用いているが、長期使用により、定着具が支持具から分離されてしまう問題点があった。
【先行技術文献】
【特許文献】
【００２０】
特許文献１：大韓民国登録実用新案第２０‐０３３８８３９号公報
特許文献２：大韓民国特許登録第１０‐０５３６６３３号公報（スピードまつげ延長器及びその方法）
特許文献３：大韓民国特許登録第１０‐０７９２２２９号公報（スピードまつげ延長器及びそれを用いたまつげ延長方法）
【発明の概要】
【発明が解決しようとする課題】
【００２１】
本発明は、上記問題点に鑑みなされたものであり、その目的は、第１の定着パッド及び第２の定着パッドを第１の支持部及び第２の支持部に堅固に結合させたスピードまつげ延長器を提供することにある。
【００２２】
本発明の他の目的は、一つのスピードまつげ延長器で、左まつげ及び右まつげを延長することができ、眉毛、頭皮毛髪も延長可能にしたスピードまつげ延長器を提供することにある。
【００２３】
本発明のまた他の目的は、第１の定着パッド及び第２の定着パッドと第１の支持部及び第２の支持部の組立性を大いに向上させたスピードまつげ延長器を提供することにある。
【００２４】
本発明のさらに他の目的は、第１の定着パッド及び第２の定着パッドの上部面の清潔を維持することができるスピードまつげ延長器を提供することにある。
【課題を解決するための手段】
【００２５】
上述した目的を達成するために、本発明によるスピードまつげ延長器は、第１の結合板が設けられ、第１の結合板の両側に第１の仕上段が形成され、第１の仕上段には、それぞれ第１の連結リンクの一端が固定された第１の支持部と、第１の支持部の第１の結合板に定着され、まつげまたは人造まつげが定着され、上部面に複数の第１の定着溝が形成された第１の定着パッドと、第２の結合板が設けられ、第２の結合板の両側に第２の仕上段が形成され、第２の仕上段には、それぞれ第２の連結リンクの一端が固定された第２の支持部と、第２の支持部の第２の結合板に定着され、まつげまたは人造まつげが定着され、上部面に複数の第２の定着溝が形成された第２の定着パッドと、第１の支持部の第１の連結リンクの端部と第２の支持部の第２の連結リンクの端部に結合され、第１の支持部及び第２の支持部の回動中心をなすヒンジ軸と、第１の支持部の一側の第１の仕上段及び第１の定着パッドに着脱され、第２の支持部の一側の第２の仕上段及び第２の定着パッドに着脱され、第１の定着パッド及び第２の定着パッドを第１の支持部及び第２の支持部に着脱させるパッド着脱部と、第１の支持部の他側の第１の仕上段に形成された第１のフックと、第２の支持部の他側の第２の仕上段に形成された第２のフックと、第１のフックまたは第２のフックに着脱される着脱輪と、一側が着脱輪に連結される連結紐と、連結紐の他側に連結される重りボディと、重りボディに結合される飾り部とからなる重りと、を備えることを特徴とする。
【００２６】
本発明によるスピードまつげ延長器の他の特徴は、パッド着脱部は、第１の仕上段及び第１の定着パッドの第１の螺子孔と、第２の仕上段及び第２の定着パッドの第２の螺子孔に締め付けられ、第１の定着パッド及び第２の定着パッドを第１の支持部及び第２の支持部に固定させる第１の固定螺子及び第２の固定螺子からなることである。
【００２７】
本発明によるスピードまつげ延長器のまた他の特徴は、第１の支持部の第１の結合板及び第２の支持部の第２の結合板には、第１の定着パッド及び第２の定着パッドが、第１の支持部及び第２の支持部の外側から第１の支持部及び第２の支持部側に進入するとき、第１の定着パッド及び第２の定着パッドの対応端部が挟持されるように、コ字状の第１の停止段及び第２の停止段が形成され、第１の支持部の第１の仕上段及び第２の支持部の第２の仕上段には、第１の定着パッド及び第２の定着パッドの進入側の先端が、第１の停止段及び第２の停止段に挿入されて支持されるとき、第１の定着パッド及び第２の定着パッドの後端の両側が係止されるように、第１の締付けフック及び第２の締付けフックが形成されていることである。
【００２８】
本発明によるスピードまつげ延長器のさらに他の特徴は、第１の定着パッド及び第２の定着パッドの上部面には、機能性オイルが混合された芳香剤物質がコーティングされるが、混合比率は、芳香剤９０〜９３重量％に、機能性オイル７〜１０重量％が混合され、機能性オイルは、ティーツリー８０重量％、フェンネル２０重量％からなることである。
【発明の効果】
【００２９】
本発明によれば、第１の定着パッド及び第２の定着パッドを、第１の支持部及び第２の支持部に着脱させるように、第１の支持部の一側の第１の仕上段及び第１の定着パッドに着脱され、第２の支持部の一側の第２の仕上段及び第２の定着パッドに着脱されるパッド着脱部が設けられる。したがって、第１の定着パッド及び第２の定着パッドを、第１の支持部及び第２の支持部に定着させた後、パッド着脱部を締め付けると、第１の定着パッド及び第２の定着パッドの一側は、第１の支持部の第１の仕上段及び第２の支持部の第２の仕上段に支持され、第１の定着パッド及び第２の定着パッドは、パッド着脱部により固定されるので、第１の定着パッド及び第２の定着パッドが第１の支持部及び第２の支持部に堅固に結合される。
【００３０】
また、本発明は、第１の支持部の他側の第１の仕上段に形成された第１のフックと、第２の支持部の他側の第２の仕上段に形成された第２のフックと、第１のフックまたは第２のフックに着脱され、連結紐に連結される着脱環が設けられる。したがって、左まつげを延長するときは、着脱環を第１のフックに結合させ、重り及び連結紐を第１のフックに連結させ、右まつげを延長するときは、着脱環を第２のフックに結合させ、重り及び連結紐を第２のフックに連結させる。このため、一つのスピードまつげ延長器で、左まつげ及び右まつげを延長することができるので、互換性に優れる。
【００３１】
また、第１の支持部の第１の結合板及び第２の支持部の第２の結合板には、第１の定着パッド及び第２の定着パッドの対応端部が挟持されるように、コ字状の第１の停止段及び第２の停止段が形成され、第１の支持部の第１の仕上段及び第２の支持部の第２の仕上段には、第１の定着パッド及び第２の定着パッドの後端の両側が係止されるように、第１の締付けフック及び第２の締付けフックが形成されている。したがって、第１の定着パッド及び第２の定着パッドが、第１の支持部及び第２の支持部の外側から第１の支持部及び第２の支持部側に進入するとき、コ字状の第１の停止段及び第２の停止段に安定的に挟持され、第１の定着パッド及び第２の定着パッドの進入側の先端が、第１の停止段及び第２の停止段に挿入されて支持されるとき、第１の締付けフック及び第２の締付けフックに、第１の定着パッド及び第２の定着パッドの後端の両側が係止される。このため、第１の定着パッド及び第２の定着パッドを、第１の停止段及び第２の停止段側に押し込める簡単な作業により、第１の定着パッド及び第２の定着パッドが、第１の支持部及び第２の支持部に迅速かつ堅固に結合されるので、組立性が大いに向上する。
【００３２】
本発明による第１の定着パッド及び第２の定着パッドの上部面には、ティーツリー８０重量％、フェンネル２０重量％からなる機能性オイルが混合された芳香剤物質がコーティングされる。したがって、殺菌機能を有する機能性オイルにより、第１の定着パッド及び第２の定着パッドの上部面の清潔を維持することができ、これにより、まつげまたは人造まつげの汚染を防ぐことができる。
【図面の簡単な説明】
【００３３】
【図１】本発明によるスピードまつげ延長器を示した概略的な部分分離斜視図である。
【図２】図１の平面図である。
【図３】使用状態斜視図である。
【図４】本発明による他の実施例を示した概略的な部分分離斜視図である。
【発明を実施するための形態】
【００３４】
本発明の具体的な特徴及び利点は、添付した図面を参照した以下の説明によりさらに明確になる。
【００３５】
図１は、本発明によるスピードまつげ延長器を示した概略的な部分分離斜視図であり、図２は、図１の平面図であり、図３は、使用状態斜視図である。
【００３６】
このような本発明によるスピードまつげ延長器は、第１の支持部１０、第１の定着パッド２０、第２の支持部３０、第２の定着パッド４０、ヒンジ軸５０、パッド着脱部６０、第１のフック７０、第２のフック８０、着脱環９０、連結紐１００、重り１１０からなる。
【００３７】
第１の支持部１０は、第１の結合板１１が設けられ、第１の結合板１１の両側には、第１の貫通孔１３が形成された第１の仕上段１２が形成され、第１の仕上段１２には、それぞれ第１の連結リンク１４の一端が固定される。
【００３８】
第１の定着パッド２０は、第１の支持部１０の第１の結合板１１に定着され、まつげまたは人造まつげが定着され、上部面に複数の第１の定着溝２１が形成される。
【００３９】
第２の支持部３０には、第２の結合板３１が設けられ、第２の結合板３１の両側には、第２の貫通孔３３が形成された第２の仕上段３２が形成され、第２の仕上段３２には、それぞれ第２の連結リンク３４の一端が固定される。
【００４０】
第２の定着パッド４０は、第２の支持部３０の第２の結合板３１に定着され、まつげまたは人造まつげが定着され、上部面に複数の第２の定着溝４１が形成される。
【００４１】
第１の定着パッド２０及び第２の定着パッド４０の上部面には、殺菌、消毒機能等を有する芳香剤物質がコートされることにより、殺菌、殺虫等の作用を果たし、清潔な状態を維持することができる。
【００４２】
芳香剤物質には、機能性オイルが混合されてもよく、その混合比率は、芳香剤９０〜９３重量％に、機能性オイル７〜１０重量％が混合され、機能性オイルは、ティーツリー８０重量％、フェンネル２０重量％からなる。
【００４３】
ここで、機能性オイルは、芳香剤に対して７〜１０重量％が混合されることが好ましい。機能性オイルの混合比率が７重量％未満であれば、その効果が微々であり、機能性オイルの混合比率が１０重量％を超えると、その機能が大いに向上しないのに対して製造単価が大いに増加する。
【００４４】
機能性オイルのうち、ティーツリーは、とげ、葉、また黄色い花を有する小さな木であり、オーストラリアの原住民により薬効が認定されている。このため、ティーツリー香油は、様々な感染症や皮膚疾患の治療に用いられており、第二次世界大戦中は、ティーツリーの殺菌、消毒、解読作用により、皮膚創傷の治療剤として用いられたこともある。
【００４５】
このようなティーツリーオイルは、にきびの治療、殺菌消毒、ウィルス性疾患の治療、呼吸系、泌尿器系の治療、抵抗力の強化等の効能を有する。
【００４６】
ティーツリーオイルは、カンジダ菌とブドウ状球菌を含めたバクテリアを撲滅させ、副作用無しに、にきびを治療するのに効果的である。また、ティーツリーは、アルコールよりも２０倍以上の殺菌・消毒効果がある。また、水痘、帯状疱疹、ヘルペス、いぼのようなウィルス性疾患、水虫、カンジダ性膣炎のような真菌性疾患に効果的である。
【００４７】
このようなティーツリーオイルは、呼吸器系及び泌尿器系において抗バクテリア作用を果たし、したがって、呼吸器系及び泌尿器系の感染治療に用いられることもある。また、ティーツリーオイルで半身浴をすると、発汗を促進し、熱が下がり、初期の風邪を緩和させる効果がある。また、抵抗力を強化し、効果的に病気と闘うのに役立つ。
【００４８】
フェンネルは、アニシード、キャラウェイ、コリアンダー等と同じ科に属する植物であり、化学的な構成要素としては、アネトール、エストラゴール、カンフェン等が挙げられ、抗菌、殺菌効果等に優れる。
【００４９】
このような機能性オイルが、第１の定着パッド２０及び第２の定着パッド４０の上部面にコーティングされることにより、殺菌、殺虫等の作用を果たし、第１の定着パッド２０及び第２の定着パッド４０の清潔を維持し、これにより、まつげ及び人造まつげの汚染を防ぐことができる。
【００５０】
ヒンジ軸５０は、第１の支持部１０の第１の連結リンク１４の端部と、第２の支持部３０の第２の連結リンク３４の端部とに結合され、第１の支持部１０及び第２の支持部３０の回動中心をなす。
【００５１】
パッド着脱部６０は、第１の支持部１０の一側の第１の仕上段１２及び第１の定着パッド２０に着脱され、第２の支持部３０の一側の第２の仕上段３２及び第２の定着パッド４０に着脱され、第１の定着パッド２０及び第２の定着パッド４０を第１の支持部１０及び第２の支持部３０に着脱させる。
【００５２】
このようなパッド着脱部６０は、第１の仕上段１２及び第１の定着パッド２０の第１の螺子孔２２と、第２の仕上段３２及び第２の定着パッド４０の第２の螺子孔４２に締め付けられ、第１の定着パッド２０及び第２の定着パッド４０を、第１の支持部１０及び第２の支持部３０に固定させる第１の固定螺子６１及び第２の固定螺子６２からなる。
【００５３】
第１のフック７０は、第１の支持部１０の他側の第１の仕上段１２に形成されている。第２のフック８０は、第２の支持部３０の他側の第２の仕上段３２に形成されている。着脱環９０は、第１のフック７０または第２のフック８０に着脱される。連結紐１００は、一側が着脱環９０に連結される。重り１１０は、連結紐１００の他側に連結される重りボディ１１１と、重りボディ１１１に結合される飾り部１１２からなる。
【００５４】
このような構成の本発明によるスピードまつげ延長器は、以下のような特徴がある。
【００５５】
第一に、本発明は、第１の定着パッド２０及び第２の定着パッド４０を、第１の支持部１０及び第２の支持部３０に着脱させるように、第１の支持部１０の一側の第１の仕上段１２及び第１の定着パッド２０に着脱され、第２の支持部３０の一側の第２の仕上段３２及び第２の定着パッド４０に着脱されるパッド着脱部６０が設けられる。
【００５６】
したがって、第１の定着パッド２０及び第２の定着パッド４０を、第１の支持部１０及び第２の支持部３０に定着させた後、パッド着脱部６０を締め付けると、第１の定着パッド２０及び第２の定着パッド４０の一側は、第１の支持部１０の第１の仕上段１２及び第２の支持部３０の第２の仕上段３２に支持され、第１の定着パッド２０及び第２の定着パッド４０は、パッド着脱部６０により固定されるので、第１の定着パッド２０及び第２の定着パッド４０が、第１の支持部１０及び第２の支持部３０に堅固に結合される。
【００５７】
第二に、本発明は、第１の支持部１０の他側の第１の仕上段１２に形成された第１のフック７０と、第２の支持部３０の他側の第２の仕上段３２に形成された第２のフック８０と、第１のフック７０または第２のフック８０に着脱され、連結紐１００に連結される着脱環９０が設けられる。
【００５８】
したがって、左まつげを延長するときは、着脱環９０を第１のフック７０に結合させ、重り１１０及び連結紐１００を第１のフック７０に連結させ、右まつげを延長するときは、着脱環９０を第２のフック８０に結合させ、重り１１０及び連結紐１００を第２のフック８０に連結させる。
【００５９】
このため、一つのスピードまつげ延長器で、左まつげ及び右まつげを延長することができるので、互換性に優れる。
【００６０】
第三に、本発明の第１の定着パッド及び第２の定着パッドの上部面には、ティーツリー８０重量％、フェンネル２０重量％からなる機能性オイルが混合された芳香剤物質がコーティングされる。したがって、殺菌機能を有する機能性オイルにより、第１の定着パッド及び第２の定着パッドの上部面を清潔に維持し、これにより、まつげまたは人造まつげの汚染を防ぐことができる。
【００６１】
図４は、本発明によるスピードまつげ延長器の他の実施例を示した概略的な部分分離斜視図である。
【００６２】
このような本発明は、第１の定着パッド２０及び第２の定着パッド４０を、第１の支持部１０及び第２の支持部３０に、簡便で、迅速かつ堅固に着脱させることができることに、その特徴がある。
【００６３】
すなわち、第１の支持部１０の第１の結合板１１及び第２の支持部３０の第２の結合板３１には、第１の定着パッド２０及び第２の定着パッド４０が、第１の支持部１０及び第２の支持部３０の外側から第１の支持部１０及び第２の支持部３０側に進入するとき、第１の定着パッド２０及び第２の定着パッド４０の対応端部が挟持されるように、コ字状の第１の停止段１５及び第２の停止段３５が形成されている。
【００６４】
第１の支持部１０の第１の仕上段１２及び第２の支持部３０の第２の仕上段３２には、第１の定着パッド２０及び第２の定着パッド４０の進入側の先端が、第１の停止段１５及び第２の停止段３５に挿入されて支持されるとき、第１の定着パッド２０及び第２の定着パッド４０の後端の両側が係止されるように、第１の締付けフック１６及び第２の締付けフック３６が形成されている。
【００６５】
したがって、第１の定着パッド２０及び第２の定着パッド４０が、第１の支持部１０及び第２の支持部３０の外側から第１の支持部１０及び第２の支持部３０側に進入するとき、コ字状の第１の停止段１５及び第２の停止段３５に安定的に挟持され、第１の定着パッド２０及び第２の定着パッド４０の進入側の先端が、第１の停止段１５及び第２の停止段３５に挿入されて支持されるとき、第１の締付けフック１６及び第２の締付けフック３６に、第１の定着パッド２０及び第２の定着パッド４０の後端の両側が係止される。
【００６６】
このため、第１の定着パッド２０及び第２の定着パッド４０を、第１の停止段１５及び第２の停止段３５側に押し込める簡単な作業により、第１の定着パッド２０及び第２の定着パッド４０が、第１の支持部１０及び第２の支持部３０に迅速かつ堅固に結合されるので、組立性が大いに向上する。
【図１】
0006469082.tif 000002
【図２】
0006469082.tif 000003
【図３】
0006469082.tif 000004
【図４】
0006469082.tif 000005